(57)【要約】【課題】  分割カール部２を所定速度で左右対称に回動可能に形成することで、把持部３の回転に伴うヘアーアイロン１の落下を防止するとともに、左右対称に髪をカールさせることができるヘアーアイロン１を提供する。【解決手段】  把持部３と、把持部３に対して回動自在に設けられ、回動することで外周に髪を巻き付ける分割カール部２と、把持部３に設けられ、分割カール部２の回動を操作する回動操作部４とを備えるヘアーアイロン１であって、分割カール部２は、回動操作部４の回動操作に応じて、所定速度で正回転または逆回転に回動することを特徴とする。【選択図】図１
2018166896.tif 000002
【特許請求の範囲】
【請求項１】
利用者が把持する把持部と、
一方の端部が前記把持部の端部に位置し、他方の端部が髪を挿入するように分割されており、前記把持部に対して回動自在に設けられ、回動することで外周に髪を巻き付ける分割カール部と、
前記把持部に設けられ、前記分割カール部の回動を操作する回動操作部と、を備えるヘアーアイロンであって、
前記分割カール部は、前記回動操作部の回動操作に応じて、所定速度で正回転または逆回転に回動することを特徴とするヘアーアイロン。
【請求項２】
前記分割カール部は、前記回動操作部の移動方向と同じ方向で回動することを特徴とする請求項１に記載のヘアーアイロン。
【請求項３】
前記分割カール部における上下に分割された上側分割カール部および下側分割カール部の各内側には、髪を加熱して挟持する一対の加熱部が形成されており、
前記一対の加熱部のいずれか一方が、前記髪の挿入に合わせて他方の加熱部に対して近接もしくは離間するよう移動することを特徴とする請求項１または２に記載のヘアーアイロン。
【発明の詳細な説明】
【技術分野】
【０００１】
本発明は、髪をカールさせるヘアーアイロンに関する。
【背景技術】
【０００２】
湾曲したカール部に髪を巻き付けてカールさせるヘアーアイロンがある。ヘアーアイロンは、カール部を加熱することで、カール部に巻き付けられた髪の毛皮質間の水素結合を切断し、髪をカール部の曲率に合わせて曲げてカールさせるものである。近年、このヘアーアイロンに関して鋭意研究されている。
【０００３】
例えば、特許文献１（従来例）には、図１２で示すように、本体固定フレーム１１０の内側に、第１のクランプ１２０（片端にボタン１６０と支持ロッド１２１が設けられたもの）と、第２のクランプ１３０（支持ロッド１２１で動く開閉梃子１４０が作用するもの）とが開閉可能に取付けられた美髪器１００が開示されている。美髪器１００は、利用者がボタン１６０を押すことで、開閉梃子１４０を介して第１のクランプ１２０と第２のクランプ１３０とが開き、ヘアを挟持することができる。
【先行技術文献】
【特許文献】
【０００４】
【特許文献１】実用新案登録第３２０７１６０号
【発明の概要】
【発明が解決しようとする課題】
【０００５】
特許文献１の美髪器１００では、髪をカールさせる際、利用者が本体固定フレーム１１０に髪を巻き付けた後、把持したハンドル１５０を利用者自身で回転させる必要がある。複数段のカール付けには、複数回この回転操作を行う必要があり、利用者が美髪器１００を落下させる可能性がある。また、特許文献１の美髪器１００は、本体固定フレーム１１０を利用者の感覚で回転させて髪のカール付けを行うため、利用者を正面方向から視認した際に髪型が左右対称となるようにすることが難しいという問題もある。
【０００６】
本発明は、上述した事情に鑑みてなされるものであって、把持部に対して回動自在に形成された分割カール部を、所定速度で回転および逆回転させることで、把持部を回転させることに伴うヘアーアイロンの落下を防止するとともに、左右対称に髪をカールさせることができるヘアーアイロンを提供することを目的とする。
【課題を解決するための手段】
【０００７】
上記課題を解決するためになされた請求項１に記載の発明は、利用者が把持する把持部と、一方の端部が前記把持部の端部に位置し、他方の端部が髪を挿入するように分割されており、前記把持部に対して回動自在に設けられ、回動することで外周に髪を巻き付ける分割カール部と、前記把持部に設けられ、前記分割カール部の回動を操作する回動操作部と、を備えるヘアーアイロンであって、前記分割カール部は、前記回動操作部の回動操作に応じて、所定速度で正回転または逆回転に回動することを特徴とする。
【０００８】
請求項１に記載の発明によれば、把持部に対して回動自在に形成された分割カール部を所定速度で回動可能に形成することで、把持部の回転に伴うヘアーアイロンの落下を防止するとともに、左右対称に髪をカールさせることができる。
【０００９】
請求項２に記載の発明は、請求項１に記載されたヘアーアイロンであって、前記分割カール部は、前記回動操作部の移動方向と同じ方向で回動することを特徴とする。
【００１０】
請求項２に記載の発明によれば、分割カール部の左右方向の回動と、操作部の操作方向を合わせることで、操作性を向上させることができる。
【００１１】
請求項３に記載の発明は、請求項１または２に記載されたヘアーアイロンであって、前記分割カール部における上下に分割された上側分割カール部および下側分割カール部の各内側には、髪を加熱して挟持する一対の加熱部が形成されており、前記一対の加熱部のいずれか一方が、前記髪の挿入に合わせて他方の加熱部に対して近接もしくは離間するよう移動することを特徴とする。
【００１２】
請求項３に記載の発明によれば、一対の加熱部のうち一方のみを上下へ可動して、髪を挟持する構成により、装置全体の構成を簡略化することができる。
【発明の効果】
【００１３】
分割カール部を所定速度で回転および逆回転可能に形成することで、把持部の回転に伴うヘアーアイロンの落下を防止するとともに、左右対称に髪をカールさせることができるヘアーアイロンを提供することができる。
【図面の簡単な説明】
【００１４】
【図１】第１実施例のヘアーアイロンの斜視図である。
【図２】図１のヘアーアイロンの側面図である。
【図３】図１のヘアーアイロンの平面図である。
【図４】図３に示すＡ−Ａ線で切断した断面図である。
【図５】図４に示すロータ近傍の拡大図である。
【図６】図３に示すＢ−Ｂ線で切断した断面図である。
【図７】加熱部が互いに離間した状態のヘアーアイロンの斜視図である。
【図８】回動操作部の構成を示す概略構成図である。
【図９】回動操作部の操作方向と回転方向との対応を示す図である。
【図１０】第１実施例のヘアーアイロンのカール付け作業を示すフローチャートである。
【図１１】第１実施例のヘアーアイロンでカール付けを行っている状況を示す図である。
【図１２】従来例を示す美髪器の断面概略図である。
【発明を実施するための形態】
【００１５】
（第１実施例）
以下、図面を参照して、本発明の第１実施例に係るヘアーアイロン１について説明する。
【００１６】
図１はヘアーアイロン１の斜視図であり、図２はヘアーアイロン１の側面図である。また図３はヘアーアイロン１の平面図である。各図面に示すＸ軸、Ｙ軸、Ｚ軸は共通であり、ヘアーアイロン１の幅方向をＸ軸、ヘアーアイロン１の厚み方向をＹ軸、ヘアーアイロン１の長手方向をＺ軸とする。また、図１に示す上方向、下方向、左方向、右方向、先端方向、基端方向も、各図面で共通であるものとする。
【００１７】
図１乃至３で示すように、引用符号１は、本実施例のヘアーアイロンである。ヘアーアイロン１は、先端から髪が挿入可能に上下に分割されており、外周に髪を巻き付けてカールさせる分割カール部２と、分割カール部２の基端側に設けられた把持部３とを有する。把持部３は、分割カール部２の回動を操作するための回動操作部４を有する。分割カール部２は、把持部３に対し回動自在に設けられており、基端側が把持部３の端部に位置し、先端側が分割している構成となっている。
【００１８】
また、図１乃至３で示すように、ヘアーアイロン１は、髪を加熱する加熱温度を調整するための操作入力を受付ける操作入力部５と、ヘアーアイロン１の内部の通電状態を表示する表示部６を有する。
【００１９】
分割カール部２は、例えば耐熱樹脂材料などで形成されており、略チューリップ形状をしたものである。分割カール部２は、上側分割カール部２Ａおよび下側分割カール部２Ｂを有しており、これらが髪を挟持する。分割カール部２は、分割カール部２内側の面（図１における上側分割カール部２Ａの下面）に固定されている固定側加熱部２１と、固定側加熱部２１と対面するように設けられ、図１における下側分割カール部２Ｂの上面に位置する可動側加熱部２２とを有する。可動側加熱部２２は、図１における上方向および下方向に移動可能に形成されており、固定側加熱部２１に対して近接、離間することができる。可動側加熱部２２は、分割カール部２に挿入される髪を固定側加熱部２１とで挟持し、加熱する。
【００２０】
分割カール部２は、内部にマイナスイオン発生部を有しており、マイナスイオン発生部で生成されるマイナスイオンを吹き出すためのマイナスイオン吹出口７を有する。マイナスイオン吹出口７は、分割カール部２の分割基端部に形成され、基端側（Ｚ軸のマイナス方向側）から先端側へ向けてマイナスイオンを吹き出す。マイナスイオン吹出口７は、上側分割カール部２Ａと下側分割カール部２Ｂの分割基端側において、各加熱部２１、２２を挟んでＸ軸方向の両側にそれぞれ形成されている。
【００２１】
図４は、図３で示すＡ−Ａ線で切断した断面図であり、図５は、図４に示すロータ１６近傍の拡大図である。また図６は、図３に示すＢ−Ｂ線で切断した断面図である。
【００２２】
把持部３の外周面を形成する外郭３０の内部には、商用電源から供給される電力を、各構成部へ供給する電源供給部１４が設けられている。電源供給部１４は、例えばバッテリなどを有し、電源コードを介して電気を充電し、各構成部へ通電するように形成されていてもよい。
【００２３】
また外郭３０の内部には、回動操作部４および操作入力部５の操作に基づいて、分割カール部２の発熱動作、回動動作、および他の各構成部の動作を制御する制御部１０が設けられている。制御部１０は、制御基板などであり、各構成部などと電気的に接続されている。制御部１０は、操作入力部５からの設定温度情報や電源オフ情報など、および後述の左回動押圧スイッチおよび右回動押圧スイッチにより形成される電気回路に基づいて、電源供給部１４から各構成部への通電を制御することで、各種の動作を制御する。
【００２４】
ヘアーアイロン１は、制御部１０からの回転制御信号に基づき正回転および逆回転するモータである駆動部１５を有し、モータの回転と連動して回転するロータ１６を有する。ロータ１６は、図５に示すように、駆動部１５の出力軸の端部１５Ａと枢着している。これにより、駆動部１５の出力軸の回転方向に従い、ロータ１６も同じ方向に回転する。また図５に示すように、分割カール部２の外郭２０に形成されている溝部２０Ａと、ロータ１６に形成されている溝部１６Ａとは、互いに咬合して結合している。すなわち本実施形態では、ロータ１６が駆動部１５の回転動力を分割カール部２まで伝達し、分割カール部２の全体を、駆動部１５の回転方向と同じ方向に回動させる構成となっている。
【００２５】
図４、図６に示すように、可動側加熱部２２の下側は、バネなどの弾性部材１７により上方向に付勢されている。これにより可動側加熱部２２は、分割カール部２内へ挿入された髪の量に応じて上下動するとともに、固定側加熱部２１とで髪を挟持する。具体的には、可動側加熱部２２は、髪の量に応じて固定側加熱部２１と近接した位置（図１参照）と、固定側加熱部２１から離間した位置へ移動可能に形成されている。可動側加熱部２２が固定側加熱部２１から離間した状態を、図７に示す。
【００２６】
また図６に示すように、固定側加熱部２１は、例えば金属などの熱伝導率の高い材料で形成されたプレート状の上側加熱プレート２１Ａと、上側加熱プレート２１Ａを保持する上側保持部２１Ｂとを有する。上側保持部２１Ｂには、耐熱樹脂材料であり、熱伝導率の低い材料で形成されている。また上側保持部２１Ｂは、先端側から上側加熱プレート２１Ａが露出するのを抑制するため、耐熱樹脂および熱伝導率の低い材料で形成されている先端部材２１Ｃが設けられている（図４参照）。上側保持部２１Ｂが、上側分割カール部２Ａの内側で上側分割カール部２Ａと一体的に固定される。すなわち、固定側加熱部２１は、上側分割カール部２Ａに固定されている。
【００２７】
可動側加熱部２２は、例えば金属などの熱伝導率の高い材料で形成された下側加熱プレート２２Ａ、および、耐熱樹脂および熱伝導率の低い材料で形成されている下側保持部２２Ｂを有する。下側保持部２２Ｂは、下側加熱プレート２２Ａを保持するとともに、下側加熱プレート２２Ａが先端側で露出するのを抑制するように形成された先端部材２２Ｃを有する（図４参照）。
【００２８】
下側加熱プレート２２Ａは、図６に示すように、操作入力部５の操作入力に応じて発熱するヒータなどの発熱部５５を内包している。下側加熱プレート２２Ａは、発熱部５５の発熱面に密着し、発熱部５５からの熱で加熱される。本実施形態では、このように、可動側加熱部２２が発熱部５５の熱で発熱し、この熱が伝播して固定側加熱部２１が加熱する構成となっている。
【００２９】
図８は、回動操作部４の近傍を示す図であり、図９は、回動操作部４の操作方向と分割カール部２の回転方向との対応を示す図である。図８に示すように、回動操作部４の上部の操作レバー４０は、分割カール部２の外郭２０や把持部３の外郭３０に沿うように湾曲した形状をしている。回動操作部４の下部は、半円柱形状の突起部４１を有する構成となっている。把持部の外郭３０は、突起部４１の一部を収容可能にするように窪んでおり、窪みの内部には、十字状のリブである十字押圧部７０が位置している。十字押圧部７０は、左右両端（Ｘ軸方向）が押圧可能な構成となっており、左側（Ｘ軸マイナス側）に位置する左回動押圧スイッチおよび右側（Ｘ軸プラス側）に位置する右回動押圧スイッチとを有する構成となっている。
【００３０】
左回動押圧スイッチは、左回転用のプッシュスイッチ７１およびその下側に位置する接触部７２を有する。利用者が回動操作部４を左方向に移動させることで、突起部４１も移動してプッシュスイッチ７１を下方向に押し下げる。これにより、プッシュスイッチ７１と接触部７２とが接して左回転用の回路がつながり、分割カール部２が左回りに回転する（逆回転する）（図９参照）。右回動押圧スイッチに関しても、これと同様の原理となっている。すなわち、利用者が回動操作部４を右方向に移動させることで、突起部４１がプッシュスイッチ７３を押し下げ、プッシュスイッチ７３と接触部７４とが接して右回転用の回路がつながる。これにより、分割カール部２が右回りに回転する（正回転する）（図９参照）。この構成により、図９に示すように、利用者が回動操作部４を移動させた方向と同じ方向に、分割カール部２も回動する。
【００３１】
本実施例のヘアーアイロン１は、可動側加熱部２２が、分割カール部２内へ挿入された髪の量に応じて上下動することで（図１の状態と図７の状態の間での移動）、常に適切な挟持圧で可動側加熱部２２と固定側加熱部２１とで挟持することができる。
【００３２】
また、本実施例のヘアーアイロン１は、単に弾性部材のみにより可動側加熱部２２を上下動可能に形成しているため、可動側加熱部２２と固定側加熱部２１とで髪を挟む構成を簡略化し、ヘアーアイロン１の全体構成を簡略化することができる。
【００３３】
さらに、本実施例のヘアーアイロン１は、髪に熱を与える固定側加熱部２１および可動側加熱部２２を分割カール部２の内部側へ位置させた構成とし、外側への露出を低減させた構成となっている。これにより、利用者が高温となる固定側加熱部２１や可動側加熱部２２に直接的に触れることを抑制することができる。
【００３４】
次に、本実施例のヘアーアイロンを用いた髪のカール付け作業について説明する。前提条件として、電源供給部１４には、電源コードを介して電気が供給されているものとする。
【００３５】
図１０は、第１実施例のヘアーアイロンのカール付け作業を示すフローチャートである。利用者は、操作入力部５を操作して電源オン状態にし、設定温度を入力する（ＳＴＥＰ１１、ＳＴＥＰ１２）。本実施形態では、１２０℃、１５０℃、１８０℃の３段階で温度調整を行うことができるものとするが、態様はこれに限定されない。操作入力部５に設定温度が入力されると、制御部１０は、発熱部５５が設定された温度で発熱するように制御するとともに、マイナスイオン吹出口７からマイナスイオンが吹き出されるように、マイナスイオン発生部へ通電する（ＳＴＥＰ１３）。制御部１０は、発熱部５５が設定温度に達するまでは、表示部６を点滅表示させ、発熱部５５が設定温度に達した後は表示部６を常灯表示させる。
【００３６】
利用者は、表示部６が常灯表示になったことを確認すると、分割カール部２内へ髪を挿入し、固定側加熱部２１と可動側加熱部２２とで髪を挟持する（ＳＴＥＰ１４）。固定側加熱部２１と可動側加熱部２２とで髪が挟持されると、利用者は回動操作部４を操作して、分割カール部２を回転または逆回転させて、分割カール部２の外周に髪を巻き付ける（ＳＴＥＰ１５）。
【００３７】
このときの状態を図１１に示す。利用者が回動操作部４を移動させた方向と同じ方向に、分割カール部２が所定の速度で右回動（正回転）または左回動（逆回転）する。これにより、利用者の髪が分割カール部２の外周面に巻き付けられる。また、固定側加熱部２１と可動側加熱部２２とで髪を挟持した際に、一対のマイナスイオン吹出口７からマイナスイオンが髪に付与される。この構成により、髪への熱の付与の前後において、プラスに帯電した髪へマイナスイオンを付与して中和して、髪のキューティクルの傷付きを防止することができる。また、一対のマイナスイオン吹出口７により髪へマイナスイオンを十分に付与することで、髪へツヤや潤いを与えることもできる。
【００３８】
利用者は、分割カール部２に髪を所望回転巻き付けると、回動操作部４の操作を止め、分割カール部２に髪を巻き付けた状態で数秒間キープさせる（ＳＴＥＰ１６）。これにより、髪へ熱を十分に与えることで、髪における毛皮質間の水素結合を切断するとともに、髪へカール癖をつけることができる。
【００３９】
利用者は、髪を巻き付けた状態で数秒間キープした後に、ヘアーアイロン１を髪の毛先まで滑らせて、カール付けを行う（ＳＴＥＰ１７）。ヘアーアイロン１を毛先へ滑らせることで、髪が分割カール部２から離れ、髪が曲げられながら大気で冷却される。これにより、毛皮質間の水素結合が発生し、カール付けされる。
【００４０】
利用者は、上記カール付け作業（ＳＴＥＰ１４乃至ＳＴＥＰ１７）を繰り返して、髪を所望の髪型にセットする（ＳＴＥＰ１８）。利用者は、髪を所望の髪型にセットすると、操作入力部５で電源オフとなるように操作し、カール付け作業を終了する（ＳＴＥＰ１９、ＳＴＥＰ２０）。制御部１０は、操作入力部５から電源オフ情報を取得すると、発熱部５５およびマイナスイオン発生部への通電をオフにして、表示部６を消灯させる。
【００４１】
本実施例のヘアーアイロンは、所定の回転速度で分割カール部２が正回転および逆回転するため、回動操作部４の操作時間を一定にすることで、髪型を左右対称にカールさせることができる。
【００４２】
本実施例のヘアーアイロン１は、分割カール部２内へ髪を差し込んだ後に、回動操作部４を操作するだけで、分割カール部２の外周面に髪を巻き付けることができるため、利用者は特に把持部３を回動させる必要がなく、利用者が施術中においてヘアーアイロン１を落下させることを防ぐことができる。
【００４３】
本実施例のヘアーアイロン１は、操作入力部５で設定温度を入力してから電源オフするまでの間、分割カール部２の分割基端部に位置する一対のマイナスイオン吹出口７からマイナスイオンを常時発生させる。これにより、発熱部５５が設定温度に達する前の状態においてヘアーアイロン１を使用してカール付けを行った場合でも、髪へマイナスイオンが付与され、髪のキューティクルの傷つきを防止することができる。
【００４４】
また、本実施例のヘアーアイロン１は、可動側加熱部２２と固定側加熱部２１とで髪を挟持して、分割カール部２に巻き付けるため、特に分割カール部２の外郭２０に髪を押え付けるクリップなどを必要とせず、分割カール部２の外郭２０への押え付けによる髪の折れ跡が付きにくくすることができる。
【００４５】
さらに、本実施例のヘアーアイロン１は、固定側加熱部２１と可動側加熱部２２の挟持をプレート状の上側加熱プレート２１Ａと下側加熱プレート２２Ａにより行うことで、単に髪を挟んで毛先方向へ滑らせれば、髪をストレートにすることもできる。すなわち、本実施例のヘアーアイロン１は、髪をカール付け又はストレートの両方に形成することができる。
【００４６】
（他の実施例）
第１実施例のヘアーアイロン１において、分割カール部２の下側内面において可動側加熱部２２が形成されるものとして説明したが、特にこれに限られるものではなく、分割カール部２の上側内面に可動側加熱部２２を形成するものとしてもよい。
【００４７】
第１実施例のヘアーアイロン１において、可動側加熱部２２にのみ発熱部５５を設ける構成として説明したが、特にこれに限られるものではなく、固定側加熱部２１にのみ、または可動側加熱部２２および固定側加熱部２１の両方に発熱部を設ける構成としてもよい。
【００４８】
第１実施例のヘアーアイロン１において、分割カール部２の分割基部で一対のマイナスイオン吹出口７が形成されているものとして説明したが、特にこれに限られるものではなく、固定側加熱部２１と可動側加熱部２２とで挟まれた髪に対してマイナスイオンを当てることができる位置であればよい。
【００４９】
第１実施例のヘアーアイロン１の回動操作部４として、操作レバー４０、突起部４１、十字押圧部７０および左回動押圧スイッチと右回動押圧スイッチを有するものとして説明したが、特にこれに限られるものではなく、回動操作部４の操作に応じて、分割カール部２が回動できる構成であればよい。
【００５０】
本発明は、その精神または主要な特徴から逸脱することなく。他の様々な形で実施することができる。そのため、前述の実施の形態はあらゆる点で単なる例示に過ぎず、限定的に解釈してはならない。本発明の範囲は、特許請求の範囲によって示すものであって、明細書本文には、なんら拘束されない。さらに、特許請求の範囲の均等範囲に属する全ての変形、様々な改良、代替及び改質は、すべて本発明の範囲内のものである。
【符号の説明】
【００５１】
１      ：ヘアーアイロン、２      ：分割カール部、２Ａ    ：上側分割カール部
２Ｂ    ：下側分割カール部、３      ：把持部、４      ：回動操作部
５      ：操作入力部、６      ：表示部、７      ：マイナスイオン吹出口
１０    ：制御部、１４    ：電源供給部、１５    ：駆動部、１５Ａ  ：端部
１６    ：ロータ、１６Ａ  ：溝部、１７    ：弾性部材、２０    ：外郭
２０Ａ  ：溝部、２１    ：固定側加熱部、２１Ａ  ：上側加熱プレート
２１Ｂ  ：上側保持部、２１Ｃ  ：先端部材、２２    ：可動側加熱部
２２Ａ  ：下側加熱プレート、２２Ｂ  ：下側保持部、２２Ｃ  ：先端部材
３０    ：外郭、４０    ：操作レバー、４１    ：突起部、
５５    ：発熱部、７０    ：十字押圧部、７１    ：プッシュスイッチ
７２    ：接触部、７３    ：プッシュスイッチ、７４    ：接触部
【図１】
2018166896.tif 000003
【図２】
2018166896.tif 000004
【図３】
2018166896.tif 000005
【図４】
2018166896.tif 000006
【図５】
2018166896.tif 000007
【図６】
2018166896.tif 000008
【図７】
2018166896.tif 000009
【図８】
2018166896.tif 000010
【図９】
2018166896.tif 000011
【図１０】
2018166896.tif 000012
【図１１】
2018166896.tif 000013
【図１２】
2018166896.tif 000014